【手続補正書】
【提出日】平成30年8月23日(2018.8.23)
【手続補正１】
【補正対象書類名】特許請求の範囲
【補正対象項目名】全文
【補正方法】変更
【補正の内容】
【特許請求の範囲】
【請求項１】
写真画像が配置される配置枠が設けられたテンプレート画像に前記写真画像を配置したレイアウト画像を作成する画像処理システムであって、
前記写真画像の画像データを保存する画像データ保存手段と、
前記配置枠の形状を決定するテンプレートデータを保存するテンプレート保存手段と、
前記配置枠に前記写真画像を配置した画面を表示するレイアウト画面を提供するとともに、ユーザの操作を受けて前記レイアウト画面の表示を変更するレイアウト画面制御手段とを備え、
前記画像データは前記写真画像の縦横の長さを示す情報を有し、
前記テンプレートデータは前記配置枠の縦横の長さを示す情報を有し、
前記テンプレート保存手段は、前記配置枠の縦横の長さが異なる複数の前記テンプレートデータを保存し、
前記レイアウト画面制御手段は、
前記写真画像の縦横の長さ情報と、前記写真画像が配置される前記配置枠の縦横の長さ情報とを用いて、前記写真画像と前記配置枠とが適合する前記テンプレートデータを抽出するテンプレート抽出手段と、
前記抽出された前記テンプレートデータに基づいて、前記配置枠と適合する前記写真画像を配置した前記レイアウト画像を出力するレイアウト画像出力手段とを備える
ことを特徴とする画像処理システム。
【請求項２】
前記複数のテンプレートデータは、前記配置枠の縦横の長さが、縦長、横長、または同じのいずれかであって、
前記テンプレート抽出手段は、
縦長の前記写真画像が、縦長または縦横の長さが同じである前記配置枠に適合すると判断し、
横長の前記写真画像が、横長または縦横の長さが同じである前記配置枠に適合すると判断し、
縦横の長さが同じである前記写真画像が、縦長、横長、または縦横の長さが同じである前記配置枠と適合すると判断する
ことを特徴とする請求項１に記載の画像処理システム。
【請求項３】
前記ユーザが、前記配置枠に配置された前記写真画像を、前記レイアウト画像に表示されていない前記写真画像の中から変更して、操作の前後で前記写真画像が縦長あるいは横長に切り替わった際に、
前記テンプレート抽出手段は、前記写真画像と前記配置枠とが適合する前記テンプレートデータを抽出する
ことを特徴とする請求項１または２に記載の画像処理システム。
【請求項４】
前記ユーザが、いずれか一つの前記配置枠に配置された前記写真画像と、他の配置枠に配置された前記写真画像とを入れ替えて、操作の前後でそれぞれの前記配置枠に配置される前記写真画像が縦長あるいは横長に切り替わった際に、
前記テンプレート抽出手段は、前記写真画像と前記配置枠とが適合する前記テンプレートデータを抽出する
ことを特徴とする請求項１〜３のいずれか１項に記載の画像処理システム。
【請求項５】
前記テンプレート抽出手段は、前記ユーザが操作する前記レイアウト画面に設けられた前記配置枠の数と同じ前記配置枠の数で配置または大きさを異にする複数の前記テンプレートデータを含むテンプレート群の中から、前記写真画像と前記配置枠とが適合する前記テンプレートデータを抽出する
ことを特徴とする請求項１〜４のいずれか１項に記載の画像処理システム。
【請求項６】
前記テンプレートデータは、前記配置枠が前記テンプレート画像上に設けられる位置を示す情報を有し、
前記テンプレート抽出手段は、前記ユーザの操作に伴って前記写真画像と前記配置枠とが適合する前記テンプレートデータを抽出する際に、前記ユーザが操作する前記レイアウト画面に設けられた前記配置枠の位置が入れ替わらないように配置関係が同じものを抽出する
ことを特徴とする請求項５に記載の画像処理システム。
【請求項７】
前記テンプレート群は、前記配置枠の縦方向の長さが前記テンプレート画像の高さと同程度の高さである前記テンプレートデータを含む
ことを特徴とする請求項５または６に記載の画像処理システム。
【請求項８】
前記テンプレートデータは、前記配置枠の位置が互いに離れて設けられている
ことを特徴とする請求項５〜７に記載の画像処理システム。
【請求項９】
前記テンプレートデータは、いずれか一つの前記配置枠が、他方の配置枠よりも大きく設けられている
ことを特徴とする請求項５〜８のいずれか１項に記載の画像処理システム。
【請求項１０】
前記テンプレートデータは、いずれか一つの前記配置枠が、前記テンプレート画像の少なくとも半分の領域を占有するように設けられ、他の前記配置枠が前記テンプレート画像の他の領域に設けられている
ことを特徴とする請求項５〜９に記載の画像処理システム。
【請求項１１】
前記ユーザが、前記テンプレート画像を変更する操作を行った際に、
前記レイアウト画像出力手段は、前記操作後の前記テンプレート画像の前記配置枠に、前記写真画像をそれぞれ配置して前記レイアウト画像を出力する
ことを特徴とする請求項１〜１０のいずれか１項に記載の画像処理システム。
【請求項１２】
前記レイアウト画像出力手段は、前記配置枠にあわせて前記写真画像を拡大、縮小、回転、またはトリミングする
ことを特徴とする請求項１〜１１のいずれか１項に記載の画像処理システム。
【請求項１３】
前記画像データは、前記写真画像の縦横の長さが縦長又は横長となる２種類のアスペクト比に規定されており、
前記テンプレートデータは、前記縦長の配置枠と前記横長の配置枠のアスペクト比が、前記写真画像のいずれかの前記アスペクト比と同様に規定されている
ことを特徴とする請求項１〜１２のいずれか１項に記載の画像処理システム。
【請求項１４】
前記テンプレートデータには、文字を挿入するための文字枠が設けられており、
前記テンプレート保存手段は、前記文字枠の大きさ、前記文字枠が設けられる位置、または文字枠の文字組みが異なる複数の前記テンプレートデータを保存する
ことを特徴とする請求項１〜１３のいずれか１項に記載の画像処理システム。
【手続補正２】
【補正対象書類名】明細書
【補正対象項目名】００１５
【補正方法】削除
【補正の内容】
【手続補正３】
【補正対象書類名】明細書
【補正対象項目名】００１６
【補正方法】削除
【補正の内容】
【手続補正４】
【補正対象書類名】明細書
【補正対象項目名】００１７
【補正方法】変更
【補正の内容】
【００１７】
（５）前記テンプレート抽出手段は、前記ユーザが操作する前記レイアウト画面に設けられた前記配置枠の数と同じ前記配置枠の数で配置または大きさを異にする複数の前記テンプレートデータを含むテンプレート群の中から、前記写真画像と前記配置枠とが適合する前記テンプレートデータを抽出することが好ましい。
【手続補正５】
【補正対象書類名】明細書
【補正対象項目名】００１８
【補正方法】変更
【補正の内容】
【００１８】
（６）前記テンプレートデータは、前記配置枠が前記テンプレート画像上に設けられる位置を示す情報を有し、前記テンプレート抽出手段は、前記ユーザの操作に伴って前記写真画像と前記配置枠とが適合する前記テンプレートデータを抽出する際に、前記ユーザが操作する前記レイアウト画面に設けられた前記配置枠の位置が入れ替わらないように配置関係が同じものを抽出することが好ましい。
【手続補正６】
【補正対象書類名】明細書
【補正対象項目名】００１９
【補正方法】変更
【補正の内容】
【００１９】
（７）前記テンプレート群は、前記配置枠の縦方向の長さが前記テンプレート画像の高さと同程度の高さである前記テンプレートデータを含むことが好ましい。
（８）前記テンプレートデータは、前記配置枠の位置が互いに離れて設けられていることが好ましい。
（９）前記テンプレートデータは、いずれか一つの前記配置枠が、他方の配置枠よりも大きく設けられていることが好ましい。
（１０）前記テンプレートデータは、いずれか一つの前記配置枠が、前記テンプレート画像の少なくとも半分の領域を占有するように設けられ、他の前記配置枠が前記テンプレート画像の他の領域に設けられていることが好ましい。
【手続補正７】
【補正対象書類名】明細書
【補正対象項目名】００２０
【補正方法】変更
【補正の内容】
【００２０】
（１１）前記ユーザが、前記テンプレート画像を変更する操作を行った際に、前記レイアウト画像出力手段は、前記操作後の前記テンプレート画像の前記配置枠に、前記写真画像をそれぞれ配置して前記レイアウト画像を出力することが好ましい。
【手続補正８】
【補正対象書類名】明細書
【補正対象項目名】００２１
【補正方法】変更
【補正の内容】
【００２１】
（１２）前記レイアウト画像出力手段は、前記配置枠にあわせて前記写真画像を拡大、縮小、回転、またはトリミングすることが好ましい。
（１３）前記画像データは、前記写真画像の縦横の長さが縦長又は横長となる２種類のアスペクト比に規定されており、前記テンプレートデータは、前記縦長の配置枠と前記横長の配置枠のアスペクト比が、前記写真画像のいずれかの前記アスペクト比と同様に規定されていることが好ましい。
【手続補正９】
【補正対象書類名】明細書
【補正対象項目名】００２２
【補正方法】変更
【補正の内容】
【００２２】
（１４）前記テンプレートデータには、文字を挿入するための文字枠が設けられており、前記テンプレート保存手段は、前記文字枠の大きさ、前記文字枠が設けられる位置、または文字枠の文字組みが異なる複数の前記テンプレートデータを保存することが好ましい。